(57)【要約】【課題】容器本体内に溜めた生ごみを堆肥製造用容器に移す際、生ごみの水切りを行う手間を省き、簡単に生ごみの処理を行うことができるようにする。【解決手段】容器本体１内に一端を排水部として該排水部に複数の小孔を設けた水切り板６を所定の角度で傾斜させて設け、容器本体１に着脱可能な底蓋２上の空間を貯水部９として、容器本体１に投入された生ごみから出る水分が水切り板６の排水部に流れ、排水部に設けた排水部に小孔から水滴１３として貯水部９に落ちて溜まるようにした。【選択図】図１
2013023361.tif 000002
【特許請求の範囲】
【請求項１】
容器本体と該容器本体に着脱可能な底蓋とを備え、
前記容器本体内に、一端を排水部として該排水部に複数の小孔を設けた水切り板を所定の角度で傾斜させて設け、
前記底蓋上の空間を貯水部として、該貯水部に前記小孔から落ちる水滴が溜まるようにしたことを特徴とする生ごみ収容容器。
【請求項２】
請求項１に記載の生ごみ収容容器において、
前記容器本体の周面に把手を設け、
前記水切り板は、容器本体に設けた把手側となる一端を所定の角度に曲げて排水部とし、この排水部以外の斜面となる部分の表面に複数の凸条を設けることにより、各凸条間に排水溝を形成して、生ごみから出る水分が前記排水溝により前記排水部に流れるようにしたことを特徴とする生ごみ収容容器。
【請求項３】
請求項１または請求項２に記載の生ごみ収容容器において、
前記容器本体の下部に底板を設けて、この底板と前記水切り板の間に形成される空間を薬剤収容室とし、
前記水切り板を貫通する通気管を設けて、前記薬剤収容室に収容した薬剤から発生する気体が前記通気管により前記容器本体内に流入するようにしたことを特徴とする生ごみ収容容器。
【発明の詳細な説明】
【技術分野】
【０００１】
本発明は、家庭で発生する野菜くずや食べ残しの食品等の生ごみを入れておくための生ごみ収容容器に関する。
【背景技術】
【０００２】
従来のこの種の生ごみ収容容器として、例えば、特許文献１に示される二重蓋付きポリバケツがある。この二重蓋付きポリバケツは、合成樹脂材で形成されたポリバケツ本体と、このポリバケツ本体の上面開口部を塞ぐ蓋から成り、この蓋の端縁近傍に小孔を設けて、ポリバケツ本体に野菜くずや食べ残しの食品等の生ごみを入れた時、ハエなどが発生した場合、蓋に設けた小孔から殺虫剤を吹き込めるようにしている。
【先行技術文献】
【特許文献】
【０００３】
【特許文献１】特開平１１−１００１０３号公報
【発明の概要】
【発明が解決しようとする課題】
【０００４】
しかしながら、上述した従来の技術においては、以下の問題がある。
すなわち、農村地帯等では、家庭で発生する野菜くずや食べ残しの食品等の生ごみを、屋外に設置したコンポストと呼ばれている堆肥製造用容器（堆肥製造用タンク）に入れ、この生ごみを適度にかき回すことで堆肥を作ることが行われているが、このように堆肥を作る場合、生ごみの水分をよく切っておく必要がある。一方、上述した生ごみ収容容器である二重蓋付きポリバケツに入れられる生ごみの中には、かなり水分が含まれているものもあり、そのためこの二重蓋付きポリバケツに入れられた生ごみを堆肥製造用容器に移す場合、一度生ごみを目の小さいザル等にあけ、水分をよく切った上で堆肥製造用容器に入れなければならず、手間がかかるという問題がある。
本発明は、このような問題を解決することを課題とする。
【課題を解決するための手段】
【０００５】
そのため、本発明の生ごみ収容容器は、容器本体と該容器本体に着脱可能な底蓋とを備え、前記容器本体内に、一端を排水部として該排水部に複数の小孔を設けた水切り板を所定の角度で傾斜させて設け、前記底蓋上の空間を貯水部として、該貯水部に前記小孔から落ちる水滴が溜まるようにしたことを特徴とする。
【発明の効果】
【０００６】
このようにした本発明は、家庭で発生する野菜くずや食べ残しの食品等の生ごみを容器本体内に溜めておく間に、水切り板により自然に生ごみの水切りを行うことができるので、容器本体内に溜めた生ごみを堆肥製造用容器に移す場合、生ごみを目の小さいザル等にあけて水切りを行う必要がなくなり、堆肥製造用容器に生ごみを移す際に手間がかからず、簡単に生ごみの処理を行うことができるという効果が得られる。
【図面の簡単な説明】
【０００７】
【図１】第１の実施例を示す側断面図
【図２】第１の実施例における水切り板の正面図
【図３】水切り板を図２の矢印Ａ方向から見た図
【図４】第２の実施例を示す側断面図
【発明を実施するための形態】
【０００８】
以下、図面を参照して本発明による生ごみ収容容器の実施例について説明する。
【実施例１】
【０００９】
図１は第１の実施例を示す側断面図で、本実施例の生ごみ収容容器は容器本体1と、この容器本体１の下端に嵌合する底蓋２と、容器本体１の上端に嵌合する上蓋３により構成されており、これら容器本体1、底蓋２、上蓋３はいずれもプラスチックにより形成されている。容器本体１は楕円形の筒状に形成され、底蓋２と上蓋３は容器本体１の形状に合わせてそれぞれ嵌合できる形状に形成されている。尚、容器本体１の容量は４リットル程度にするのが取扱い上好ましいが、これに限定されるものではない。
【００１０】
容器本体１の外周面には把手４が設けられ、容器本体１の下端側には底板５が形成されており、底板５の上方には把手４側の端部が低く反対側の端部が高くなるように緩い角度で傾斜させた水切り板６が設けられている。この底板５と水切り板６の間に形成される空間は薬剤収容室７となっていて、容器本体１の周面にはこの薬剤収容室７の出入り口になる開口が形成され、この開口を開閉する小扉８が矢印で示したように回転可能に設けられている。
【００１１】
また、底蓋２上の空間、本実施例では底蓋２と底板５とで形成される空間は貯水部９となっており、更に容器本体１内には把手４側の壁面と対向する壁面に沿って通気管１０が設けられ、この通気管１０の下部は水切り板６を貫通して薬剤収容室７内で開口している。
【００１２】
図２は第１の実施例における水切り板６の正面図、図３は水切り板６を図２の矢印方向から見た図で、この図に示したように水切り板６は、容器本体１に設けた把手４側となる一端を所定の角度に曲げて排水部６ｃとし、この排水部６ｃ以外の斜面となる部分の表面に複数の凸条６aを平行に設けることで、各凸条６a間に排水溝６ｂを形成すると共に、排水部６ｃに複数の小径の排水孔６ｄを設けたものとなっている。尚、この水切り板６は容器本体１と一体に形成するが、別体に形成して容器本体１内に取り付けるようにすることも可能である。
【００１３】
上述した構成の作用について説明すると、まず、生ごみ収容容器を家庭の台所の流し付近に置き、小扉８を開いて薬剤収容室７内に消臭剤１１ａや防虫剤１１ｂを載置した後、小扉８を閉じておく。そして、料理の際や食後に野菜くずや食べ残しの食品等の生ごみ１２が発生した場合、容器本体１の上端に嵌合している上蓋３を取外し、容器本体１内に生ごみ１２を投入して、上蓋３を容器本体１の上端に嵌合させて閉じておく。
【００１４】
容器本体１内に投入された生ごみ１２は水切り板６の凸条６aの上に集積され、生ごみ１２から排出する水分は各凸条６a間の排水溝６ｂに落ちるが、水切り板６は傾斜しているので、排水溝６ｂに落ちた水分は排水溝６ｂを伝って排水部６ｃに流れ、排水部６ｃに設けられた排水孔６ｄから水滴１３として貯水部９に落ち、貯水部９に貯められる。
【００１５】
生ごみは、堆肥製造用容器（堆肥製造用タンク）に移されるまで容器本体１内に溜められるが、その間消臭剤１１ａや防虫剤１１ｂが気体として通気管１０の下端から上端に抜けるように流れて容器本体１内に流入するので、生ごみ１２から発生する小バエ等が殺虫され、また生ごみ１２から発生する悪臭も消臭される。
【００１６】
容器本体１内に溜められた生ごみを、屋外に設置された堆肥製造用容器に移す場合、底蓋２を容器本体１から取り外して、貯水部９に貯められた水を捨て、底蓋２を容器本体１に嵌合して取り付ける（取り外したままでも可）。その後、把手４を持って生ごみ収容容器を堆肥製造用容器の設置位置に運び、上蓋３を取外してから把手４を持ったまま容器本体１を傾けて、容器本体１内に生ごみ１２を堆肥製造用容器に落し込み、上蓋３を容器本体１に嵌合させて閉じておく。
【００１７】
以上説明した第１の実施例によれば、家庭で発生する野菜くずや食べ残しの食品等の生ごみ１２を容器本体１内に溜めておく間に、水切り板６により自然に生ごみの水切りを行うことができるので、容器本体１内に溜めた生ごみ１２を堆肥製造用容器に移す場合、生ごみを目の小さいザル等にあけて水切りを行う必要がなくなり、堆肥製造用容器に生ごみを移す際に手間がかからず、簡単に生ごみの処理を行うことができるという効果が得られる。
【００１８】
また、生ごみは容器本体１内に溜められている間、薬剤収容室７内に載置された消臭剤１１ａや防虫剤１１ｂが気体として通気管１０により容器本体１内に供給されるので、生ごみ１２から発生する小バエ等を殺虫することができるとともに、生ごみ１２から発生する悪臭も消臭できることになる。
【実施例２】
【００１９】
図４は本発明の第２の実施例を示す側断面図で、この第２の実施例は容器本体１内にガイド板１４を設けたもので、このガイド板１４は水切り板６と一体に形成され、水切り板６の上部側の端部つまり排水部６ｃと反対側の端部から急峻な角度で立ち上がり、容器本体１の上部に達するように形成されている。
尚、この他の構成は上述した第１の実施例と同様であるので、同一の符号を付してその説明を省略する。
【００２０】
このような構成による第２の実施例は、第１の実施例と同様に使用するが、容器本体１内に溜められた生ごみを堆肥製造用容器に移す際、上蓋３を取外してから把手４を持ったまま容器本体１を傾けると、容器本体１内の生ごみがガイド板１４を滑り落ちて容器本体１内に落下する。
【００２１】
従ってこの第２の実施例によれば、第１の実施例と同様の効果が得られる他、容器本体１内に溜められた生ごみを堆肥製造用容器に移す場合の操作がより容易になるという効果が得られる。また、ガイド板１４を設けたことで容器本体１をあまり傾けなくとも生ごみを容器本体１から放出でき、それにより貯水部９に水が入ったまま生ごみを容器本体１から堆肥製造用容器に移しても、貯水部９の水が流れ出すのを防止できるという効果も得られる。
【００２２】
尚、上述した実施例では容器本体１を楕円形の筒状としたが、円形や三角形、四角形、あるいは五角形以上の多角形としてもよい。また、容器本体１を円形の筒状とした場合、底蓋２を螺合により容器本体１に着脱できるようにすることも可能である。
【００２３】
また、上蓋３は容器本体１に嵌合させる構造ではなく、蝶番により開閉させる構造にしてもよく、容器本体１と底蓋２と上蓋３等は、プラスチックではなく金属で形成してもよい。更に、水切り板６は排水部６ｃを所定の角度に曲げたものとしたが、所定の角度に曲げずに排水部６ｃを設けるものとしてもよい。
【符号の説明】
【００２４】
１    容器本体
２    底蓋
３    上蓋
４    把手
５    底板
６    水切り板
７    薬剤収容室
８    小扉
９    貯水部
１０  通気管
１１ａ  消臭剤
１１ｂ  防虫剤
１２  生ごみ
１３  水滴
１４  ガイド板
【図１】
2013023361.tif 000003
【図２】
2013023361.tif 000004
【図３】
2013023361.tif 000005
【図４】
2013023361.tif 000006